(57)【要約】【課題】  側壁の倒れを防止することができるＵ字型側溝ブロックを提供する。【解決手段】  Ｕ字型側溝ブロック１は、長手方向Ｐの全長に渡って上方に開口するコンクリート製のＵ字型側溝ブロックである。このＵ字型側溝ブロック１の側壁１ｂは、その上部に、梁部材２が、側壁１ｂ、１ｂ間に嵌まるようにして取り付けられる、取付部１ｃを備える。そして、取付部１ｃは、梁部材２が落ちることがないように、その梁部材２を支持する支持部１ｄを備えるとともに、梁部材２が上方に抜けることがないように、その梁部材２を係止する係止部１ｅを備える。【選択図】  図３
2008088716.tif 000002
【特許請求の範囲】
【請求項１】
底壁と側壁とを備えて長手方向の全長に渡って上方に開口するコンクリート製のＵ字型側溝ブロックであって、
前記側壁は、その上部に、側溝の天壁を形成する梁部材が、前記側壁間に嵌まるようにして取り付けられる、取付部を備え、
前記取付部は、前記梁部材が落ちることがないように、その梁部材を支持する支持部を備えるとともに、前記梁部材が上方に抜けることがないように、その梁部材を係止する係止部を備えることを特徴とする、Ｕ字型側溝ブロック。
【請求項２】
前記支持部は、前記梁部材が載る段部からなり、
前記係止部は、前記梁部材に備わる上側を向く被対向面と対向する、下側を向く対向面からなることを特徴とする、請求項１に記載のＵ字型側溝ブロック。
【請求項３】
前記取付部は、前記梁部材が前記長手方向のスライドによって取り付けられるよう、形成されていることを特徴とする、請求項１または２に記載のＵ字型側溝ブロック。
【請求項４】
前記取付部は、前記側壁の、前記長手方向における少なくとも両端部分に設けられていることを特徴とする、請求項１ないし３のいずれか１項に記載のＵ字型側溝ブロック。
【請求項５】
前記底壁上にインバートコンクリートを打設可能な側溝ブロックからなることを特徴とする、請求項１ないし４のいずれか１項に記載のＵ字型側溝ブロック。
【請求項６】
底壁と側壁とを備えて長手方向の全長に渡って上方に開口するコンクリート製のＵ字型側溝ブロックの、前記側壁の上部に備わる取付部に、その側壁間に嵌まるようにして取り付けられて、側溝の天壁を形成する、梁部材であって、
落ちることがないように前記取付部に支持される被支持部を備えるとともに、上方に抜けることがないように前記取付部に係止される被係止部を備えることを特徴とする、Ｕ字型側溝ブロック用の梁部材。
【請求項７】
前記被支持部は、前記取付部に備わる段部に載る下面からなり、前記被係止部は、前記取付部に備わる下側を向く対向面と対向する、上側を向く被対向面からなることを特徴とする、請求項６に記載のＵ字型側溝ブロック用の梁部材。
【請求項８】
前記長手方向のスライドによって前記取付部に取り付けられるよう、形成されていることを特徴とする、請求項６または７に記載のＵ字型側溝ブロック用の梁部材。
【請求項９】
前記Ｕ字型側溝ブロックは、前記底壁上にインバートコンクリートを打設可能な側溝ブロックからなることを特徴とする、請求項６ないし８のいずれか１項に記載のＵ字型側溝ブロック用の梁部材。
【請求項１０】
請求項１ないし５のいずれか１項に記載のＵ字型側溝ブロックの取付部に、梁部材が取り付けられてなる、梁付きＵ字型側溝ブロック。
【請求項１１】
請求項１０に記載の梁付きＵ字型側溝ブロックの製造方法であって、型枠にて前記Ｕ字型側溝ブロックを成形し、脱型し、その脱型したＵ字型側溝ブロックの取付部に、前記梁部材を取り付け、その後、養生することを特徴とする、梁付きＵ字型側溝ブロックの製造方法。
【発明の詳細な説明】
【技術分野】
【０００１】
この発明は、側壁の倒れを防止することができる、Ｕ字型側溝ブロック、Ｕ字型側溝ブロック用の梁部材、梁付きＵ字型側溝ブロック、および梁付きＵ字型側溝ブロックの製造方法に関するものである。
【背景技術】
【０００２】
従来、底壁と側壁とを備えたコンクリート製のＵ字型側溝ブロックであって、底壁上にインバートコンクリートを打設することを想定した側溝ブロックがあった（例えば、特許文献１参照）。このＵ字型側溝ブロックは、底壁上にインバートコンクリートを打設する必要があることから、そのインバートコンクリート部分の余裕を考慮して、高さ寸法が大きく取られていた。
【０００３】
【特許文献１】特開２００６−２８７８６号公報
【発明の開示】
【発明が解決しようとする課題】
【０００４】
前記従来のコンクリート製のＵ字型側溝ブロックのような、例えば高さのあるＵ字型側溝ブロックにおいては、成形後の養生期間中の、コンクリートの乾燥収縮とか、その後の、埋設の際の路面の転圧とかにより、側壁が内側に若干倒れることがあった。このように、側壁が内側に倒れると、Ｕ字型側溝ブロックの寸法精度が確保されなかったり、また、Ｕ字型側溝ブロックに溝蓋を載せることが困難になる虞があった。
【０００５】
この発明は、上記した従来の欠点を解決するためになされたものであり、その目的とするところは、側壁の倒れを防止することができる、Ｕ字型側溝ブロック、Ｕ字型側溝ブロック用の梁部材、梁付きＵ字型側溝ブロック、および梁付きＵ字型側溝ブロックの製造方法を提供することにある。
【課題を解決するための手段】
【０００６】
この発明に係るＵ字型側溝ブロック、Ｕ字型側溝ブロック用の梁部材、梁付きＵ字型側溝ブロック、および梁付きＵ字型側溝ブロックの製造方法は、前記目的を達成するために、次の構成からなる。すなわち、
請求項１に記載の発明に係るＵ字型側溝ブロックは、底壁と側壁とを備えて長手方向の全長に渡って上方に開口するコンクリート製のＵ字型側溝ブロックである。ここで、前記側壁は、その上部に、側溝の天壁を形成する梁部材が、前記側壁間に嵌まるようにして取り付けられる、取付部を備える。そして、前記取付部は、前記梁部材が落ちることがないように、その梁部材を支持する支持部を備えるとともに、前記梁部材が上方に抜けることがないように、その梁部材を係止する係止部を備える。
【０００７】
このＵ字型側溝ブロックによると、側溝の天壁を形成する梁部材を、Ｕ字型側溝ブロックの取付部に取り付けると、その梁部材は、取付部に備わる支持部により支持されるため、落ちることはなく、また、Ｕ字型側溝ブロックを、反転した状態で運搬したり養生したり保管したりしても、梁部材は、取付部に備わる係止部により係止されるため、外れて落ちることはない。そして、梁部材は、Ｕ字型側溝ブロックの側壁間に嵌まるように取り付けられて、その取り付けられた梁部材が、側壁の内側への倒れに対して抵抗する。したがって、この梁部材をＵ字型側溝ブロックに取り付けることで、Ｕ字型側溝ブロックを成形した後の養生期間中の、コンクリートの乾燥収縮とか、その後の、施工にあたってＵ字型側溝ブロックを埋設した際の路面の転圧とかによる、側壁の内側への倒れが防止される。
【０００８】
また、請求項２に記載の発明に係るＵ字型側溝ブロックは、請求項１に記載のＵ字型側溝ブロックにおいて、前記支持部は、前記梁部材が載る段部からなり、前記係止部は、前記梁部材に備わる上側を向く被対向面と対向する、下側を向く対向面からなる。
【０００９】
また、請求項３に記載の発明に係るＵ字型側溝ブロックは、請求項１または２に記載のＵ字型側溝ブロックにおいて、前記取付部は、前記梁部材が前記長手方向のスライドによって取り付けられるよう、形成されている。こうして、梁部材をスライドさせることで、梁部材は、Ｕ字型側溝ブロックの取付部に簡単に取り付けられる。
【００１０】
また、請求項４に記載の発明に係るＵ字型側溝ブロックは、請求項１ないし３のいずれか１項に記載のＵ字型側溝ブロックにおいて、前記取付部は、前記側壁の、前記長手方向における少なくとも両端部分に設けられている。
【００１１】
また、請求項５に記載の発明に係るＵ字型側溝ブロックは、請求項１ないし４のいずれか１項に記載のＵ字型側溝ブロックにおいて、前記底壁上にインバートコンクリートを打設可能な側溝ブロックからなる。このようなＵ字型側溝ブロックでは、幅寸法に比して、高さ寸法が大きく、側壁が内側に倒れやすい構造となっている。このＵ字型側溝ブロックに対して、梁部材を取り付けることで、側壁の内側への倒れが効果的に防止される。
【００１２】
また、請求項６に記載の発明に係るＵ字型側溝ブロック用の梁部材は、底壁と側壁とを備えて長手方向の全長に渡って上方に開口するコンクリート製のＵ字型側溝ブロックの、前記側壁の上部に備わる取付部に、その側壁間に嵌まるようにして取り付けられて、側溝の天壁を形成する、梁部材である。この梁部材は、落ちることがないように前記取付部に支持される被支持部を備えるとともに、上方に抜けることがないように前記取付部に係止される被係止部を備える。
【００１３】
これにより、側溝の天壁を形成する梁部材を、Ｕ字型側溝ブロックの取付部に取り付けると、その梁部材は、被支持部が取付部に支持されるため、落ちることはなく、また、Ｕ字型側溝ブロックを、反転した状態で運搬したり養生したり保管したりしても、梁部材は、被係止部が取付部に係止されるため、外れて落ちることはない。そして、梁部材は、Ｕ字型側溝ブロックの側壁間に嵌まるように取り付けられて、その取り付けられた梁部材が、側壁の内側への倒れに対して抵抗する。したがって、この梁部材をＵ字型側溝ブロックに取り付けることで、Ｕ字型側溝ブロックを成形した後の養生期間中の、コンクリートの乾燥収縮とか、その後の、施工にあたってＵ字型側溝ブロックを埋設した際の路面の転圧とかによる、側壁の内側への倒れが防止される。
【００１４】
また、請求項７に記載の発明に係るＵ字型側溝ブロック用の梁部材は、請求項６に記載の梁部材において、前記被支持部は、前記取付部に備わる段部に載る下面からなり、前記被係止部は、前記取付部に備わる下側を向く対向面と対向する、上側を向く被対向面からなる。
【００１５】
また、請求項８に記載の発明に係るＵ字型側溝ブロック用の梁部材は、請求項６または７に記載の梁部材において、前記長手方向のスライドによって前記取付部に取り付けられるよう、形成されている。こうして、梁部材をスライドさせることで、梁部材は、Ｕ字型側溝ブロックの取付部に簡単に取り付けられる。
【００１６】
また、請求項９に記載の発明に係るＵ字型側溝ブロック用の梁部材は、請求項６ないし８のいずれか１項に記載の梁部材において、前記Ｕ字型側溝ブロックは、前記底壁上にインバートコンクリートを打設可能な側溝ブロックからなる。このようなＵ字型側溝ブロックでは、幅寸法に比して、高さ寸法が大きく、側壁が内側に倒れやすい構造となっている。このＵ字型側溝ブロックに対して、梁部材を取り付けることで、側壁の内側への倒れが効果的に防止される。
【００１７】
また、請求項１０に記載の発明に係る梁付きＵ字型側溝ブロックは、請求項１ないし５のいずれか１項に記載のＵ字型側溝ブロックの取付部に、梁部材が取り付けられてなる。
【００１８】
また、請求項１１に記載の発明に係る梁付きＵ字型側溝ブロックの製造方法は、請求項１０に記載の梁付きＵ字型側溝ブロックの製造方法であって、型枠にて前記Ｕ字型側溝ブロックを成形し、脱型し、その脱型しＵ字型側溝ブロックの取付部に、前記梁部材を取り付け、その後、養生する。
【発明の効果】
【００１９】
この発明に係るＵ字型側溝ブロック、Ｕ字型側溝ブロック用の梁部材、梁付きＵ字型側溝ブロック、および梁付きＵ字型側溝ブロックの製造方法によれば、梁部材がＵ字型側溝ブロックの側壁間に嵌まるように取り付けられると、その梁部材が側壁の内側への倒れに対して抵抗するため、側壁の倒れを防止することができる。
【発明を実施するための最良の形態】
【００２０】
以下、この発明を実施するための最良の形態を図面に基づいて説明する。
【００２１】
図１〜図３は、本発明の一実施の形態を示す。図中符号１は、コンクリート製のＵ字型側溝ブロックであって、底壁１ａと側壁１ｂ、１ｂとを備えて長手方向Ｐの全長に渡って上方に開口するものである。２は、側溝の天壁を形成する梁部材である。３は、梁付きＵ字型側溝ブロックである。
【００２２】
ここで、Ｕ字型側溝ブロック１においては、側壁１ｂは、その上部に、前記梁部材２が、側壁１ｂ、１ｂ間に嵌まるようにして取り付けられる、取付部１ｃを備えている。そして、取付部１ｃは、梁部材２が落ちることがないように、その梁部材２を支持する支持部１ｄを備えるとともに、梁部材２が上方に抜けることがないように、その梁部材２を係止する係止部１ｅを備えている。
【００２３】
また、梁部材２においては、落ちることがないようにＵ字型側溝ブロック１の取付部１ｃに支持される被支持部２ａを備えるとともに、上方に抜けることがないようにＵ字型側溝ブロック１の取付部１ｃに係止される被係止部２ｂを備える。すなわち、梁部材２は、被支持部２ａが、Ｕ字型側溝ブロック１の取付部１ｃにおける支持部１ｄによって支持され、被係止部２ｂが、Ｕ字型側溝ブロック１の取付部１ｃにおける係止部１ｅによって係止される。
【００２４】
詳細には、Ｕ字型側溝ブロック１の取付部１ｃにおいて、支持部１ｄは、梁部材２（詳しくは、梁部材２の下面２ｃ）が載る段部１ｆからなる。また、係止部１ｅは、梁部材２に備わる上側を向く被対向面２ｄ（被係止部２ｂ）と対向する、下側を向く対向面１ｇからなる。そして、このＵ字型側溝ブロック１の取付部１ｃと梁部材２とは、梁部材２が、Ｕ字型側溝ブロック１の長手方向Ｐの、スライドによって取り付けられるよう、形成されている。
【００２５】
具体的には、Ｕ字型側溝ブロック１は、底壁１ａ上にインバートコンクリートを打設可能な側溝ブロックからなる。すなわち、Ｕ字型側溝ブロック１は、いわゆる自由勾配側溝としても使用可能となっている。このＵ字型側溝ブロック１は、側壁１ｂの上端から若干下がった位置に、長手方向Ｐの全長に渡って、内側に張出した張出部１ｈが設けられている。そこで、この張出部１ｈと、側壁１ｂの上端部分であって張出部１ｈから上方に突出する立上り壁１ｉとで、前記取付部１ｃが形成される。そして、張出部１ｈの上面が、前記段部１ｆ（支持部１ｄ）となる。また、立上り壁１ｉの内側面１ｊには、その略中央の高さ位置に、前記対向面１ｇ（係止部１ｅ）が設けられている。そして、この対向面１ｇは、下側を向くように傾斜した傾斜面からなっている。そして、段部１ｆ（支持部１ｄ）と対向面１ｇ（係止部１ｅ）とは、Ｕ字型側溝ブロック１の長手方向Ｐに延設されて形成されている。図示実施の形態においては、これら段部１ｆ（支持部１ｄ）と対向面１ｇ（係止部１ｅ）とを備える取付部１ｃは、側壁１ｂの、前記長手方向Ｐにおける全長に渡って設けられている。
【００２６】
梁部材２は、例えば、コンクリート製であって、矩形平板状に形成されている。そして、この梁部材２は、前述したように、その下面２ｃが、前記被支持部２ａとなる。また、梁部材２の側面２ｅには、その略中央の高さ位置に、前記被対向面２ｄ（被係止部２ｂ）が設けられている。そして、この被対向面２ｄは、上側を向くように傾斜した傾斜面からなり、梁部材２の、前記長手方向Ｐにおける全長に渡って（つまり、側面２ｅの全長に渡って）設けられている。
【００２７】
梁付きＵ字型側溝ブロック３は、Ｕ字型側溝ブロック１の取付部１ｃ、１ｃに、梁部材２が取り付けられてなる。図示実施の形態においては、梁部材２は、Ｕ字型側溝ブロック１の長手方向Ｐの両端部分に取り付けられて、側溝の天壁を形成している。そして、図示を省略するが、梁部材２が取り付けられていない、Ｕ字型側溝ブロック１の長手方向Ｐの中間部分には、コンクリート蓋とかグレーチングとかの側溝蓋が、段部１ｆ、１ｆに掛け渡されるようにして載せられる。すなわち、段部１ｆは、側溝蓋が載る蓋掛かり段部１ｘとしての機能を兼ねている。
【００２８】
この梁付きＵ字型側溝ブロック３の製造方法は、始めに、型枠にて（つまり、型枠に生コンクリートを打設して）、Ｕ字型側溝ブロック１を成形し、脱型する。そして、その脱型したＵ字型側溝ブロック１の取付部１ｃに、梁部材２を取り付け、その後、養生する。
【００２９】
この梁付きＵ字型側溝ブロック３によれば、側溝の天壁を形成する梁部材２を、Ｕ字型側溝ブロック１の取付部１ｃ、１ｃに取り付ける。このとき、梁部材２を、取付部１ｃに対して、Ｕ字型側溝ブロック１の両端部の外方から嵌め込むようにして、長手方向Ｐにスライドさせることで、梁部材２は、Ｕ字型側溝ブロック１の取付部１ｃ、１ｃに簡単に取り付けられる。こうして、梁部材２をＵ字型側溝ブロック１に取り付けると、その梁部材２は、下面２ｃ（被支持部２ａ）が取付部１ｃに備わる段部１ｆ（支持部１ｄ）により支持されるため、落ちることはなく、また、Ｕ字型側溝ブロック１、つまりは梁付きＵ字型側溝ブロック３を、反転した状態で運搬したり養生したり保管したりしても、梁部材２は、被対向面２ｄ（被係止部２ｂ）が取付部１ｃに備わる対向面１ｇ（係止部１ｅ）により係止されるため、外れて落ちることはない。そして、梁部材２は、Ｕ字型側溝ブロック１の側壁１ｂ、１ｂ間（詳細には、立上り壁１ｉ、１ｉ間）に嵌まるように取り付けられて、その取り付けられた梁部材２が、側壁１ｂ、１ｂの内側への倒れに対して抵抗する。したがって、この梁部材２をＵ字型側溝ブロック１に取り付けることで、Ｕ字型側溝ブロック１を成形した後の養生期間中の、コンクリートの乾燥収縮とか、その後の、施工にあたってＵ字型側溝ブロック１（梁付きＵ字型側溝ブロック３）を埋設した際の路面の転圧とかによる、側壁１ｂの、内側への倒れが防止されて、Ｕ字型側溝ブロック１の本来の形状が保たれる。また、こうして、側壁１ｂの、内側への倒れを防止することができることから、その後に、蓋掛かり段部１ｘに側溝蓋を載せる場合にも、側溝蓋を側壁１ｂ（詳細には、立上り壁１ｉ）と干渉することなく載せることができる。
【００３０】
また、側壁１ｂが内側へ倒れようとしたとき、梁部材２がその倒れを止めて、梁部材２と側壁１ｂ（詳細には、立上り壁１ｉ）とが、密着する。このため、梁部材２は、Ｕ字型側溝ブロック１に強固に固定される。
【００３１】
また、Ｕ字型側溝ブロック１は、底壁１ａ上にインバートコンクリートを打設可能な側溝ブロック（つまり、自由勾配側溝として使用可能な側溝ブロック）からなるが、このようなＵ字型側溝ブロック１では、幅寸法に比して、高さ寸法が大きく、側壁１ｂが内側に倒れやすい構造となっている。このＵ字型側溝ブロック１に対して、梁部材２を取り付けることで、側壁１ｂの内側への倒れが効果的に防止される。また、Ｕ字型側溝ブロック１は、自由勾配側溝として用いられる門型側溝ブロックと比較すると、製造の際の脱型に手間がかからず成形サイクルを短くすることができ、生産性に優れている。
【００３２】
なお、本発明は、上述した実施の形態に限定されるわけではなく、その他種々の変更が可能である。例えば、Ｕ字型側溝ブロック１には、側壁１ｂの上部に、段部１ｆを形成するように、内側に張出した張出部１ｈが設けられているが、図４に示すように、側壁１ｂの上部が外側に広がることで、段部１ｆが形成されてもよい。
【００３３】
また、Ｕ字型側溝ブロック１の取付部１ｃは、長手方向Ｐにおける全長に渡って設けられているが、長手方向Ｐにおける両端部分にのみ設けられてもよく、また、中間部分にのみ設けられてもよく、いずれの位置に設けられても構わない。
【００３４】
また、取付部１ｃの段部１ｆは、側溝蓋が載る蓋掛かり段部１ｘを兼ねているが、それぞれが専用の段部となっていてもよい。
【００３５】
また、Ｕ字型側溝ブロック１における対向面１ｇ（係止部１ｅ）は、立上り壁１ｉの内側面１ｊの、略中央の高さ位置に設けられなくとも、どのような高さ位置に設けられてもよい。同様に、対応する梁部材２における被対向面２ｄ（被係止部２ｂ）は、側面２ｅの、略中央の高さ位置に設けられなくとも、どのような高さ位置に設けられてもよい。
【００３６】
また、図５に示すように、対向面１ｇ（係止部１ｅ）と、被対向面２ｄ（被係止部２ｂ）とは、対向面１ｇ（係止部１ｅ）が、内側面１ｊの高さの全体が下側を向くように（つまり、張出部１ｈ側（下側）ほど広がるように）傾斜するテーパー状の面であって、対応する被対向面２ｄ（被係止部２ｂ）が、側面２ｅの高さの全体が上側を向くように（つまり、下側ほど幅広となるように）傾斜するテーパー状の面であってもよい。
【００３７】
また、図６に示すように、立上り壁１ｉの内側面１ｊに凸部１ｙが設けられて、その凸部１ｙの下面が対向面１ｇ（係止部１ｅ）となり、梁部材２の側面２ｅに前記凸部１ｙと嵌合する凹部２ｙが設けられて、その凹部２ｙの下面が被対向面２ｄ（被係止部２ｂ）となってもよい。反対に、図７に示すように、立上り壁１ｉの内側面１ｊに凹部１ｚが設けられて、その凹部１ｚの上面が対向面１ｇ（係止部１ｅ）となり、梁部材２の側面２ｅに前記凹部１ｚと嵌合する凸部２ｚが設けられて、その凸部２ｚの上面が被対向面２ｄ（被係止部２ｂ）となってもよい。
【００３８】
また、対向面１ｇと被対向面２ｄとは、平行位置して対向しなくとも、角度をもって対向してもよく、また、傾斜面からならなくとも、水平面からなっていてもよい。
【００３９】
また、梁部材２は、コンクリート製でなくとも、鉄製であってもよい。さらに、梁部材２は、中実に形成されていなくとも、例えばグレーチングのように、排水用の孔を備えていても構わない。
【００４０】
また、梁部材２は、Ｕ字型側溝ブロック１の取付部１ｃに、長手方向Ｐのスライドによって取り付けられるが、例えば、梁部材２に弾性部材を設けることで、その弾性部材の弾性変形を利用して、梁部材２をＵ字型側溝ブロック１の上から押し込むようにして取り付けてもよい。
【図面の簡単な説明】
【００４１】
【図１】この発明の一実施の形態の、梁付きＵ字型側溝ブロックの平面図である。
【図２】同じく、図１におけるＡ−Ａ線による拡大断面図である。
【図３】同じく、図２における要部拡大図である。
【図４】この発明の他の実施の形態の、図２相当図である。
【図５】Ｕ字型側溝ブロックと梁部材との嵌合いの、第１の変形例を示す図３相当図である。
【図６】Ｕ字型側溝ブロックと梁部材との嵌合いの、第２の変形例を示す図３相当図である。
【図７】Ｕ字型側溝ブロックと梁部材との嵌合いの、第３の変形例を示す図３相当図である。
【符号の説明】
【００４２】
１  Ｕ字型側溝ブロック
１ａ  底壁
１ｂ  側壁
１ｃ  取付部
１ｄ  支持部
１ｅ  係止部
１ｆ  段部
１ｇ  対向面
２  梁部材
２ａ  被支持部
２ｂ  被係止部
２ｃ  下面
２ｄ  被対向面
３  梁付きＵ字型側溝ブロック
Ｐ  長手方向
【図１】
2008088716.tif 000003
【図２】
2008088716.tif 000004
【図３】
2008088716.tif 000005
【図４】
2008088716.tif 000006
【図５】
2008088716.tif 000007
【図６】
2008088716.tif 000008
【図７】
2008088716.tif 000009